(57)【特許請求の範囲】
【請求項１】
下端の薬剤導出口に滲出膜が付設された薬剤充填カートリッジを通水管路内のケースに摺動自在に収容する一方で、該ケース内の基部に、薬剤充填カートリッジの下降時に前記薬剤導出口を閉塞する弁座を突設し、ケース基端の給水口から流入した供給水の動圧によって薬剤充填カートリッジを前記弁座から離間させると同時に滲出膜から薬剤を溶出させてその薬剤の溶出した供給水をケース先端から流出するようにした薬剤供給装置であって、
給水口から流入した供給水を薬剤充填カートリッジの滲出膜に誘導する水流ガイドをこのカートリッジと別体に設け、この水流ガイドを薬剤充填カートリッジと共にケース内に摺動自在に収容してあり、
水流ガイドは、
下方変位時に弁座の遊挿を許容し給水時に供給水を滲出膜に吐出する吐出孔を有するベース部と、
このベース部の下面に延設されて、給水口から流入した供給水を前記吐出孔に誘導する案内羽根と、
ベース部の上面に突設されて、薬剤充填カートリッジの下面に当接した状態でそのカートリッジとの間に径方向の誘導路を形成する複数のストッパ突起と、
を備えていて、
ケースに、水流ガイドの案内羽根の外面を案内するガイド突起を有する固定ガイドを、水流ガイドの案内羽根に、前記ガイド突起と当接して水流ガイドの所定量以上の上昇変位を規制するストッパ爪をそれぞれ設けてあることを特徴とする薬剤供給装置。
【請求項２】
水流ガイドの案内羽根の外面に、固定ガイドのガイド突起に摺接する軸方向に沿うビードを形成したことを特徴とする請求項１に記載の薬剤供給装置。
【請求項３】
通水管路内のケースがシャワーヘッドであることを特徴とする請求項１または２に記載の薬剤供給装置。
【発明の詳細な説明】
【０００１】
【発明の属する技術分野】
本発明は、例えば脱塩素剤等の薬剤を供給水中に溶出させてその薬剤の溶け込んだ供給水を散水する薬剤供給装置に関する。
【０００２】
【従来の技術】
近年、脱塩素剤等の薬剤を充填したカートリッジをシャワーヘッド内に組み込み、シャワーの使用時に供給水中に薬剤を溶出させるようにした薬剤供給シャワーが案出されている。
【０００３】
このシャワーは、図８に示すように、シャワーヘッド１内に装填されるカートリッジ２内に薬剤が充填されており、そのカートリッジ２の下面に薬剤導出口５が設けられ、この薬剤導出口５にカートリッジ２内の薬剤を溶出させる滲出膜６が被着された構造となっている。この滲出膜６は、薬剤の重量ヘッド圧に耐え得る濾膜によって構成され、シャワー使用時に供給水の動圧を受けたときにだけカートリッジ２内の薬剤を滲出させるようになっている。そして、このシャワーの場合、供給水はカートリッジ２の内部を通過するのではなく、その動圧（供給水の流速によって滲出膜６上に生じる圧力分布差。）に応じた量の薬剤を滲出膜６から溶出させた後にカートリッジ２の外周側に回り込んで散水部７から吐出される。
【０００４】
また、このシャワーにおいて、カートリッジ２がシャワーヘッド１内に軸方向摺動可能に収容されると共に、シャワーヘッド１内の基部に弁座（図示せず。）が突設され、カートリッジ２が下方に変位したときに薬剤導出口５がこの弁座で閉塞されるようになっている。したがって、カートリッジ２が下方に変位するシャワーの不使用時には薬剤導出口５が弁座で確実に密閉され、カートリッジ２内の薬剤が滲出膜６を通して漏出することのないようになっている。
【０００５】
【発明が解決しようとする課題】
しかし、上記従来の薬剤供給シャワーにおいては、カートリッジ２の下端の滲出膜６に供給水を集中させることが難しく、カートリッジ２内の薬剤を滲出膜６を通して安定して溶出させることができなかった。
【０００６】
そこで、シャワーヘッド１内に水流ガイドを固設してそのガイドで供給水を滲出膜６の中心部に集中させることが考えられるが、上記のようにカートリッジ２がシャワーヘッド１内を摺動する構造になっているときには、水流ガイドとカートリッジ２の間隔がカートリッジ２の変動に伴って変化してしまい、やはり滲出膜６からの安定した薬剤の溶出を得ることは難しい。
【０００７】
また、カートリッジ２の下端に羽根状の水流ガイドを突設することで供給水を滲出膜６の中心部に集中させることも考えられるが、このようにした場合には、水流ガイドの突出部分が邪魔になり、商品流通時の管理が難しくなるという別の不具合を招く。
【０００８】
即ち、カートリッジを商品として流通させる場合には、温度等の環境変化によって薬剤が滲出膜から漏出することのないように滲出膜部分にシールをすると共に、カートリッジ内の薬剤の酸化防止のためにカートリッジ全体を空気バリア性フィルムの袋に収容するが、カートリッジの下端に水流ガイドが突出していると、このガイドが邪魔になって滲出膜を完全にシールすることができないうえ、流通過程で水流ガイドや空気バリア性フィルムの袋が破損する可能性が高く、このような理由から流通時の管理を慎重に行わなざるを得ない。
【０００９】
そこで本発明は、薬剤充填カートリッジを複雑な形状にすることなく、供給水を薬剤充填カートリッジの下端の滲出膜部分に集中させられるようにして、薬剤充填カートリッジの管理が容易で、しかも、シャワー使用時には安定した薬剤の溶出を得ることのできる薬剤供給シャワーを提供しようとするものである。
【００１０】
【課題を解決するための手段】
上述した課題を解決するための手段として、請求項１の発明は、下端の薬剤導出口に滲出膜が付設された薬剤充填カートリッジを通水管路内のケースに摺動自在に収容する一方で、該ケース内の基部に、薬剤充填カートリッジの下降時に前記薬剤導出口を閉塞する弁座を突設し、ケース基端の給水口から流入した供給水の動圧によって薬剤充填カートリッジを前記弁座から離間させると同時に滲出膜から薬剤を溶出させてその薬剤の溶出した供給水をケース先端から流出するようにした薬剤供給装置であって、給水口から流入した供給水を薬剤充填カートリッジの滲出膜に誘導する水流ガイドをこのカートリッジと別体に設け、この水流ガイドを薬剤充填カートリッジと共にケース内に摺動自在に収容するようにした。
【００１１】
その上で、水流ガイドが、下方変位時に弁座の遊挿を許容し給水時に供給水を滲出膜に吐出する吐出孔を有するベース部と、このベース部の下面に延設されて、給水口から流入した供給水を前記吐出孔に誘導する案内羽根と、ベース部の上面に突設されて、薬剤充填カートリッジの下面に当接した状態でそのカートリッジとの間に径方向の誘導路を形成する複数のストッパ突起を備えるようにした。
【００１２】
さらに、通水管路内のケースに、水流ガイドの案内羽根の外面を案内するガイド突起を有する固定ガイドを設けると共に、水流ガイドの案内羽根に、前記ガイド突起と当接して水流ガイドの所定量以上の上昇変位を規制するストッパ爪を設けるようにした。
【００１３】
この発明の場合、供給水が給水口から導入されると、水流ガイドが薬剤充填カートリッジと一体になってケース内を上昇変位し、薬剤充填カートリッジが弁座から離間すると同時に、供給水が水流ガイドにガイドされて薬剤充填カートリッジの滲出膜部分に集中するようになる。水流ガイドはケース内を薬剤充填カートリッジと常時一体になって摺動するため、水流ガイドと薬剤充填カートリッジの間の流路は常に一定に維持されるようになる。また、水流ガイドは薬剤充填カートリッジと別体に設けたため、薬剤充填カートリッジの下面は偏平に形成することができる。
【００１４】
また、水流ガイドと薬剤充填カートリッジが下降した状態では、水流ガイドの吐出孔を通して弁座が薬剤充填カートリッジの薬剤導出口を閉塞する。そして、給水口から供給水が流入すると、その供給水は水流ガイドの案内羽根に誘導されて吐出孔に集まり、吐出孔から薬剤充填カートリッジの滲出膜に吐出される。このとき滲出膜からは薬剤が溶出され、そこで薬剤の溶け込んだ供給水は水流ガイドのストッパ突起と薬剤充填カートリッジの間の誘導路を通ってそのカートリッジの外周側に回り込み、ケースの先端から流出される。さらに、水流ガイドはストッパ爪とガイド突起の当接によってケースから抜け止めされる。
【００１５】
請求項２の発明は、請求項１の発明において、水流ガイドの案内羽根の外面に、固定ガイドのガイド突起に摺接する軸方向に沿うビードを形成するようにした。この発明の場合、水流ガイドの昇降動作時には案内羽根がビード部分でガイド突起と摺動する。ビードは水流ガイドの昇降動作方向に沿っているため、ガイド突起とのクリアランスを狭めても摺動抵抗が大きく増大することがない。
【００１６】
請求項３の発明は、請求項１または２の発明において、通水管路内のケースをシャワーヘッドとした。
【００１７】
【発明の実施の形態】
次に、本発明の一実施例を図１〜図５に基づいて説明する。
【００１８】
図１，図２は本発明にかかる薬剤供給装置としての薬剤供給シャワーの全体構成を示すものであり、同図中１０は、このシャワーの通水管路内のケースとしてのシャワーヘッドである。このシャワーヘッド１０は、下端に給水口１１を備えたロアボディ１０ａと、上端に散水部１２を備えたアッパボディ１０ｂがパッキン１３を介してネジ止めされて成り、その内側に形成された中空部内には、円筒缶状の薬剤充填カートリッジ１４がスプリング１５によって下方に付勢された状態で収容されている。
【００１９】
この実施例の場合、薬剤充填カートリッジ１４の内部には、強い塩素還元作用をもつ脱塩素剤としてのアスコルビン酸の過飽和水溶液が充填されており、このアスコルビン酸をシャワーヘッド１０内で溶出させることで水道水中の残留塩素を除去するようになっている。
【００２０】
そして、薬剤充填カートリッジ１４の底壁には薬剤導出口１６が形成されており、この導出口１６には、シャワーヘッド１０内に導入される供給水の動圧を受けてカートリッジ１４内の薬剤を溶出させる滲出膜１７が取り付けられている。この滲出膜１７は、例えば、セルロースアセテートの上下にポリエステルを積層した濾膜によって形成され、シャワーの不使用時に少なくともカートリッジ１４内の薬剤の重量ヘッド圧に耐えられる（漏れが生じない）ようになっている。また、薬剤充填カートリッジ１４の底部には長孔状の開口を有する偏平なパッチプレート１８が付設され、このパッチプレート１８によってカートリッジ１４の底面が偏平にされると共に、カートリッジ１４外部に臨む薬剤導出口１６の開口形状が長孔状になっている。
【００２１】
一方、シャワーヘッド１０内の基部中央には、上壁に一対の半円孔３５ａ，３５ｂを有する有底円筒状の固定ガイド３６が小ねじ等によって取り付けられている（図３参照）。この固定ガイド３６の上壁中央には、先端に合成ゴム製のシールパッキン１９を備えた弁座２０が上方に向かって突設されており、さらにこの固定ガイド３６の周壁は円筒状のガイド壁２１とされている。弁座２０は薬剤充填カートリッジ１４が下方変位した状態で同カートリッジ１４の薬剤導出口１６に密接して、この薬剤導出口１６を完全に閉塞するようになっている。したがって、弁座２０の先端部は薬剤導出口１６の開口よりも一回り大きい長孔状に形成されている。また、固定ガイド３６上壁の各半円孔３５ａ，３５ｂの径方向外側の縁部は、ガイド壁２１の上端部に対し径方向内側に向かって所定量延出しており、この縁部が本発明におけるガイド突起２２を構成している。さらに、図４に示すように半円孔３５ａ，３５ｂの円弧上には、軸方向に所要長さを有し、前記縁部と同様にガイド壁２１の上端部に対し、径方向内側に向かって所定量延出したガイドレール２２ａを夫々２個所設けている。
【００２２】
さらに、シャワーヘッド１０内の基部には、給水口１１から流入した供給水を薬剤充填カートリッジ１４の滲出膜１７部分に誘導する水流ガイド２３が摺動自在に収容されている。この水流ガイド２３は、図３に示すように円板状のベース部２４の中央部に長孔状の吐出孔２５が形成され、このベース部２４の下面に一対の案内羽根２６，２６が延設されると共に、ベース部２４の上面に吐出孔２５の周縁を取り囲むように４つのストッパ突起２７が突設されている。
【００２３】
ここで、ベース部２４に形成された吐出孔２５は供給水を薬剤充填カートリッジ１４の滲出膜１７に集めて吐出する部分であるが、水流ガイド２３とカートリッジ１４が下方に変位した状態では、弁座２０の先端部が薬剤導出口１６をシールするようになっている。したがって、このとき弁座２０の先端部は吐出孔２５を貫通して薬剤充填カートリッジ１４の薬剤導出口１６を閉塞する。
【００２４】
各案内羽根２６は、その外側面が円弧面状に形成される一方で、内側面が吐出孔２５に向かって収束するように緩やかにすぼまって形成されており、給水口１１から流入した供給水がこの案内羽根２６の内側面に沿って吐出孔２５内に集められるようになっている。また、案内羽根２６は、半円孔３５ａ，３５ｂに遊挿して固定ガイド３６のガイド壁２１内に挿入され、この各半円孔３５ａ，３５ｂの孔縁のガイド突起２２及びガイドレール２２ａによって摺動自在に昇降ガイドされるようになっている。そして、各案内羽根２６の外側面には軸方向に沿う複数（この例の場合二つ）のビード３７が一体に形成されており、ガイド突起２２の円弧面に対してこのビード３７部分で摺接するようになっている。したがって、水流ガイド２３の昇降時には、ビード３７によって各案内羽根２６とガイド突起２２の摺接面積、延いては摺動抵抗を常時小さく維持することができ、このことから各案内羽根２６とガイド突起２２のクリアランスを小さくすることが可能となっている。
【００２５】
そして、さらに案内羽根２６の先端部には径方向外側に向かって突出するストッパ爪２８が延設されており、水流ガイド２３がシャワーヘッド１０内で所定量上昇したときに、このストッパ爪２８がガイド突起２２と当接して水流ガイド２３のそれ以上の上昇を規制するようになっている。尚、ストッパ爪２８は、案内羽根２６の先端側に向かって先細り状に傾斜したテーパ面２８ａを有しており、水流ガイド２３をシャワーヘッド１０内に組み込む際に、テーパ面２８ａのガイド作用により案内羽根２６の先端部がガイド突起２２を乗り越えてガイド壁２１内に容易に収容されるようになっている。
【００２６】
また、ベース部２４の上面に突設された４つのストッパ突起２７は薬剤充填カートリッジ１４の下面に当接し、隣接するストッパ突起２７，２７とカートリッジ１４の下面の間に径方向に沿った誘導路２９を形成するようになっている。
【００２７】
尚、水流ガイド２３と固定ガイド３６は、案内羽根２６と半円孔３５ａ，３５ｂの係合によって回転方向の相対変位が規制され、薬剤充填カートリッジ１４とシャワーヘッド１０は、図７に示すようにカートリッジ１４の下端外周に１８０度間隔で突設した突起３８と、ロアボディ１０ａの内周面に給水口１１側に収束するように形成したガイド溝３９の係合によって回転方向の相対変位が規制されている。
【００２８】
この薬剤供給シャワーは以上のような構成であるため、供給水が給水口１１からシャワーヘッド１０内に導入されると、水流ガイド２３と薬剤充填カートリッジ１４が図１に示すように供給水の圧力を受け、スプリング１５を押し縮めて上昇変位するようになる。こうして水流ガイド２３と薬剤充填カートリッジ１４が一体になって上昇すると、薬剤充填カートリッジ１４が弁座２０から離間すると同時に、水流ガイド２３の案内羽根２６にガイドされて吐出孔２５に集まった供給水が吐出孔２５から薬剤充填カートリッジ１４の滲出膜１７の中心部に向かって吐出される。
【００２９】
そして、こうして供給水が滲出膜１７に吐出されると、その動圧を受けて薬剤充填カートリッジ１４内の薬剤が滲出膜１７を通して溶出され、ここで薬剤の溶け込んだ供給水は、さらに水流ガイド２３と薬剤充填カートリッジ１４の間に形成された誘導路２９を通ってカートリッジ１４の外周側に回り込み、最終的にシャワーヘッド１０の先端の散水部１２を通って外部に散水される。
【００３０】
また、この状態から供給水が止められると、薬剤充填カートリッジ１４と水流ガイド２３がスプリング１５の力によって下降変位し、薬剤充填カートリッジ１４の薬剤導出口１６が弁座２０によって閉塞されるようになる。
【００３１】
この薬剤供給シャワーの場合、上述のように水流ガイド２３が常時薬剤充填カートリッジ１４と一体になって作動するため、水流ガイド２３とカートリッジ１４の間の通路間隔が常時一定に維持されることとなり、滲出膜１７からの安定した薬剤の溶出が得られるようになる。
【００３２】
また、このシャワーにおいては、薬剤充填カートリッジ１４の下面が平坦に形成されているため、薬剤充填カートリッジ１４の商品流通時には、図４に示すようにシールキャップ３０等によって滲出膜１７部分を容易に、かつ、確実に密閉することができる。そして、さらに滲出膜１７部分をシールキャップ３０等で密閉した薬剤充填カートリッジ１４を空気バリア性フィルムの袋３１に収容する場合にも、薬剤充填カートリッジ１４の下端に突出部分がないため、商品流通時に袋３１が破損する不具合が生じにくく、商品流通時おけるカートリッジ１４自体の破損も生じにくい。
【００３３】
さらにまた、シャワーヘッド１０内の薬剤充填カートリッジ１４を交換する場合には、シャワーヘッド１０のロアボディ１０ａからアッパボディ１０ｂを取り外し、使用済みのカートリッジ１４をロアボディ１０ａから引き抜いて新たなカートリッジ１４をシャワーヘッド１０内に装填する。このとき、水流ガイド２３は案内羽根２６のストッパ爪２８とシャワーヘッド１０側のガイド突起２２によって抜け止めされているため、交換時にたとえロアボディ１０ａを逆さまにしたとしてもロアボディ１０ａから脱落することがない。したがって、このシャワーにおいては、極めて容易に薬剤充填カートリッジ１４の交換を行うことができる。
【００３４】
また、水流ガイド２３は、シャワーヘッド１０の給水口１１から導入された供給水を薬剤充填カートリッジ１４の滲出膜１７部分に集中させるためのものであるため、水流ガイド２３と固定ガイド３６の摺動部のクリアランスはできる限り小さいことが望ましいが、このシャワーにおいては、水流ガイド２３の案内羽根２６を軸方向に沿うビード３７によって固定ガイド３６のガイド突起２２に摺接させるようにしているため、散水部１２からの吐出流量を急激に増加させた場合、水流ガイド２３内を通過する供給水の流量も急激に増加し、水流ガイド２３の案内羽根２６を径方向に押し広げようとする力が働いた場合にも、ガイド突起２２とビード３７とにより摺動抵抗を低く抑えることができるので、水流ガイド２３の作動不良を招くことなく、両ガイド２３，３１間の摺動クリアランスを最小限にして同クリアランスからの供給水の漏れを極めて小さくすることが可能となっている。したがって、このシャワーにおいては供給水を無駄無く滲出膜１７に誘導することが可能である。
【００３５】
ところで、以上では薬剤充填カートリッジ１４内にアスコルビン酸の過飽和水溶液を充填した例について説明したが、これに限らず、図６に示すもののように粉末若しくは固形の薬剤（アスコルビン酸に限らない）を内部に充填するタイプのカートリッジ４４を採用することも可能である。また、脱塩素剤以外の芳香剤、殺菌剤、漢方薬、乳液、ＰＨ調整剤等の薬剤をカートリッジ内に充填することも可能である。尚、図６中には、図１，図２に示したものと同一部分に同一符号を付してある。
【００３６】
この薬剤充填カートリッジ４４について簡単に説明すると、同カートリッジ４４は、カートリッジケース４５の下端に薬剤導出口１６、上端にエア排出口５０が夫々設けられ、薬剤導出口１６には上述の実施例と同様に滲出膜１７が付設されている。そして、エア排出口５０には四フッ化エチレン樹脂等の疎水性通気膜４６が所定間隔離間して一対配置され、両通気膜４６，４６間が空気室４７とされている。また、下端の通気膜４６と滲出膜１７の間が薬剤充填室４８とされ、その内部に粉末若しくは固形の薬剤Ｐが充填されている。
【００３７】
この薬剤充填カートリッジ４４は、最初にシャワーで使用する際に水流ガイド２３を通して滲出膜１７部分に供給水が導入されると、その供給水が薬剤充填室４８内の空気を押出して同充填室４８内に流入し、その時点で薬剤Ｐを溶解して薬剤充填室４８が薬剤液で満たされる。そして、薬剤充填室４８は疎水性通気膜４６で閉塞されているため、供給水がその通気膜４６の下面に接した時点で薬剤充填室４８が液密状態において封止される。
【００３８】
また、図７は、固定ガイド３６や水流ガイド２３、薬剤充填カートリッジ１４（４４）等を取り去ったロアボディ１０ａの断面図であるが、同図に示すようにロアボディ１０ａの内壁に形成するガイド溝３９は、その底部方向に向かってなだらかに窄まり、最終的に所定幅に収束する形状に形成しており、シャワーヘッド１０に対する薬剤充填カートリッジ１４（４４）の装填を確実にしかも容易にすることができる。
【００３９】
即ち、薬剤充填カートリッジ１４（４４）の装填にあたっては、同カートリッジ１４（４４）の下端外周の突起３８をガイド溝３９に沿わせて装填を行うが、この例のようにガイド溝３９の上部側がなだらかに拡径しているので、使用者はおおまかな見当をつけてカートリッジ１４（４４）をロアボディ１０ａ内に挿入するだけで、カートリッジ１４（４４）の滲出膜１７と弁座２０が合致する正確な位置にカートリッジ１４（４４）を装填することが可能になる。
【００４０】
したがって、水流ガイド２３がカートリッジ１４（４４）と別体に形成され、予めシャワーヘッド１０に組み付けられることとも相俟って、使用者のカートリッジ装填時における作業負担は極めて小さくなる。
【００４１】
【発明の効果】
以上のように請求項１の発明は、給水口から流入した供給水を薬剤充填カートリッジの滲出膜に誘導する水流ガイドをこのカートリッジと別体に設け、この水流ガイドを薬剤充填カートリッジと共に通水管路内のケースに摺動自在に収容するようにしため、薬剤充填カートリッジの下端を複雑な形状にすることなく、薬剤充填カートリッジと常時一体に作動する別体の水流ガイドによって供給水を滲出膜部分に集中させて安定した薬剤の溶出を得ることができる。そして、この発明によれば、薬剤充填カートリッジの下端を平坦な形状にすることができるため、薬剤充填カートリッジの出荷時に滲出膜部分を容易に、かつ、確実にシールすることが可能になり、その結果、薬剤充填カートリッジの商品流通時の管理が容易になる。
【００４２】
また、水流ガイドが、下方変位時に弁座の遊挿を許容し給水時に供給水を滲出膜に吐出する吐出孔を有するベース部と、このベース部の下面に延設されて、給水口から流入した供給水を前記吐出孔に誘導する案内羽根と、ベース部の上面に突設されて、薬剤充填カートリッジの下面に当接した状態でそのカートリッジとの間に径方向の誘導路を形成する複数のストッパ突起を備えるようにしたため、給水口から流入した供給水を案内羽根で吐出孔に誘導し、この吐出孔から滲出膜に吐出した供給水をストッパ突起と薬剤充填カートリッジによって形成される誘導路を通してそのカートリッジの外周側に円滑に回り込ませることができる。
【００４３】
さらに、通水管路内のケースに、水流ガイドの案内羽根の外面を案内するガイド突起を有する固定ガイドを設けると共に、水流ガイドの案内羽根に、前記ガイド突起と当接して水流ガイドの所定量以上の上昇変位を規制するストッパ爪を設けるようにしたため、ケースからの水流ガイドの抜けが確実に防止され、薬剤充填カートリッジの交換時等に水流ガイドが紛失する不具合を無くすことができる。
【００４４】
請求項２の発明は、請求項１の発明において、水流ガイドの案内羽根の外面に、固定ガイドのガイド突起に摺接する軸方向に沿うビードを形成するようにしたため、案内羽根とガイド突起のクリアランスを狭めても摺動抵抗が大きく増大することがなく、したがって、案内羽根の作動不良を招くことなく給水口から流入した供給水をロス無く確実に滲出膜に誘導することができる。
【図面の簡単な説明】
【図１】本発明の一実施例を示す断面図。
【図２】同実施例を示す断面図。
【図３】同実施例を示す部品の斜視図。
【図４】図３に示す固定ガイドのＡ矢視背面図
【図５】同実施例の薬剤充填カートリッジの商品流通時を示す断面図。
【図６】本発明の他の実施例を示す断面図。
【図７】同実施例を示す断面図。
【図８】従来の技術を示す模式図。
【符号の説明】
１０…シャワーヘッド（通水管路内のケース）
１１…給水口
１４，４４…薬剤充填カートリッジ
１６…薬剤導出口
１７…滲出膜
２０…弁座
２２…ガイド突起
２３…水流ガイド
２４…ベース部
２５…吐出孔
２６…案内羽根
２７…ストッパ突起
２８…ストッパ爪
２９…誘導路
３７…ビード
【図１】
0004087004.tif 000002
【図２】
0004087004.tif 000003
【図３】
0004087004.tif 000004
【図４】
0004087004.tif 000005
【図５】
0004087004.tif 000006
【図６】
0004087004.tif 000007
【図７】
0004087004.tif 000008
【図８】
0004087004.tif 000009